(57)【特許請求の範囲】
【請求項１】
コンテンツが登録されている保護領域と、保護領域に登録されているコンテンツを読取るための特殊な専用のソフトウエアが暗号化されて格納された登録領域を有するメモリカードと、上記暗号化に対する暗号化鍵が登録されているＩＣカードとを扱うカード処理装置において、
上記メモリカードの保護領域に登録されているコンテンツを読取るとともに、上記メモリカードの登録領域から、保護領域に登録されているコンテンツを読取る特殊な専用の暗号化されたソフトウエアを読取る第１のリーダライタと、
上記ＩＣカードに登録されている暗号化鍵を読取る第２のリーダライタと、
上記メモリカードの挿入あるいは取出しを検知する第１の検知手段と、
この第１の検知手段により上記メモリカードの挿入を検知した際、上記第１のリーダライタにより上記メモリカードの登録領域から、保護領域に登録されているコンテンツを読取るための特殊な専用の暗号化されたソフトウエアを読取る第１の読取手段と、
上記ＩＣカードの挿入あるいは取出しを検知する第２の検知手段と、
この第２の検知手段により上記ＩＣカードの挿入を検知した際、上記第２のリーダライタにより上記ＩＣカードに登録されている暗号化鍵を読取る第２の読取手段と、
上記第１の読取手段により読取られた保護領域に登録されたコンテンツを読取る特殊な専用の暗号化されたソフトウエアを、上記第２の読取手段により読取られた暗号化鍵により復号化する復号化手段と、
この復号化手段により復号化された保護領域に登録されているコンテンツを読取るための特殊な専用のソフトウエアを用いて上記第１のリーダライタにより上記メモリカードの保護領域に登録されているコンテンツを読取る第３の読取手段と、
この第３の読取手段により読取られるコンテンツを出力する出力手段と、
上記第１の検知手段により上記メモリカードの取出しを検知した際、あるいは上記第２の検知手段により上記ＩＣカードの取出しを検知した際、あるいは上記出力手段によるコンテンツの出力が終了した際に、上記復号化手段により復号化された保護領域に登録されているコンテンツを読取る特殊な専用のソフトウエアを削除する削除手段と、
を具備したことを特徴とするカード処理装置。
【発明の詳細な説明】
【０００１】
【発明の属する技術分野】
この発明は、保護領域にコンテンツが登録されているメモリカードと、このメモリカードのコンテンツの保護領域のアクセスを許可するＩＣカードとを扱うカード処理装置に関する。
【０００２】
【従来の技術】
最近、映像、音楽、情報等のコンテンツが格納されているメモリカードを用いてそのコンテンツに対する再生等を行う携帯機器等の端末装置（カード処理装置）が実用化されている。
【０００３】
上記メモリカードの保護領域に上記コンテンツが格納され、不正コピーの防止等が図られている。
【０００４】
上記端末装置がメモリカードのコンテンツを使用する場合、端末装置上のメモリに固定情報として搭載されているメモリカードの保護領域にアクセスする機能を使用して、メモリカードと端末装置との間で認証処理を行い、認証が成功するとメモリカードの保護領域に登録されているコンテンツを読み取ることが可能となるようになっている。
【０００５】
認証が失敗した場合、端末装置は、メモリカード内のコンテンツを使用することができないようになっている。
【０００６】
これにより、メモリカードのコンテンツに対する不正コピーが防止できるとともに、コピーガードされているデータ（コンテンツ）が使われないようにしたものである。
【０００７】
このように、メモリカードの保護領域にアクセスする機能が、端末装置のメモリ上に常時配置されているため、その機能を解析される可能性がある。
【０００８】
【発明が解決しようとする課題】
従来は、メモリカードの保護領域にアクセスする機能がメモリ上に常時配置されているため、その保護領域を解析される可能性があるという問題があった。
【０００９】
この発明は、上記の問題を解決するためになされたもので、メモリカードの保護領域にアクセスする機能を解析され難くすることができるカード処理装置を提供することを目的としている。
【００１０】
【課題を解決するための手段】
この発明のカード処理装置は、コンテンツが登録されている保護領域と、保護領域に登録されているコンテンツを読取るための特殊な専用のソフトウエアが暗号化されて格納された登録領域を有するメモリカードと、上記暗号化に対する暗号化鍵が登録されているＩＣカードとを扱うものにおいて、上記メモリカードの保護領域に登録されているコンテンツを読取るとともに、上記メモリカードの登録領域から、保護領域に登録されているコンテンツを読取る特殊な専用の暗号化されたソフトウエアを読取る第１のリーダライタと、上記ＩＣカードに登録されている暗号化鍵を読取る第２のリーダライタと、上記メモリカードの挿入あるいは取出しを検知する第１の検知手段と、この第１の検知手段により上記メモリカードの挿入を検知した際、上記第１のリーダライタにより上記メモリカードの登録領域から、保護領域に登録されているコンテンツを読取るための特殊な専用の暗号化されたソフトウエアを読取る第１の読取手段と、上記ＩＣカードの挿入あるいは取出しを検知する第２の検知手段と、この第２の検知手段により上記ＩＣカードの挿入を検知した際、上記第２のリーダライタにより上記ＩＣカードに登録されている暗号化鍵を読取る第２の読取手段と、上記第１の読取手段により読取られた保護領域に登録されたコンテンツを読取る特殊な専用の暗号化されたソフトウエアを、上記第２の読取手段により読取られた暗号化鍵により復号化する復号化手段と、この復号化手段により復号化された保護領域に登録されているコンテンツを読取るための特殊な専用のソフトウエアを用いて上記第１のリーダライタにより上記メモリカードの保護領域に登録されているコンテンツを読取る第３の読取手段と、この第３の読取手段により読取られるコンテンツを出力する出力手段と、上記第１の検知手段により上記メモリカードの取出しを検知した際、あるいは上記第２の検知手段により上記ＩＣカードの取出しを検知した際、あるいは上記出力手段によるコンテンツの出力が終了した際に、上記復号化手段により復号化された保護領域に登録されているコンテンツを読取る特殊な専用のソフトウエアを削除する削除手段とから構成される。
【００１１】
カード処理装置１は、メモリカード２内に登録されているコンテンツとしての映像、音楽、情報等を読取り、表示したり、再生したりするものである。
【００１２】
カード処理装置１は、操作の指示、選択を行う操作部１０、全体を制御するＣＰＵ１１、制御プログラムが記憶されているとともにデータが記憶されるメモリ１２、メモリカードリーダ・ライタ１３、ＩＣカードリーダ・ライタ１４、映像、音楽、情報等を表示したり、再生したりする出力部１５により構成されている。
【００１３】
カード処理装置１には、メモリカード２とメモリカードリーダ・ライタ１３との接続状態あるいはメモリカード２の挿入状態を検知する検知器（検知手段）１６が設けられているとともに、ＩＣカード３とＩＣカードリーダ・ライタ１４との接続状態あるいはＩＣカード３の挿入状態を検知する検知器（検知手段）１７が設けられている。
【００１４】
上記メモリカード２は、図２に示すように、カード処理装置１とのデータのやり取りを行うコンタクト部２１、このコンタクト部２１に接続されるインターフェース部２２、このインターフェース部２２に接続されるメモリ制御用ＬＳＩ２３、このメモリ制御用ＬＳＩ２３に接続されデータの記録再生が制御されているメモリ２４とから構成されている。
【００１５】
メモリ制御用ＬＳＩ２３は、全体を制御する制御部２３ａとこの制御部２３ａ用の制御プログラムが記録され、データを記録する内部メモリ２３ｂとにより構成されている。
【００１６】
メモリ２４は、一般領域（登録領域）と保護領域とを有している。一般領域に記録されているデータはカード処理装置１における一般的なソフトウェアにより読取ることができ、保護領域に記録されているデータはカード処理装置１において特殊な専用のソフトウェア（保護領域をアクセスする機能）により読取ることができるようになっている。
上記保護領域には、コンテンツとしての映像、音楽、情報等が登録されている。
【００１７】
上記一般領域には、保護領域をアクセスする機能（保護領域に記録されているデータを読取る特殊な専用のソフトウェア）を上記ＩＣカード３に登録されている暗号化鍵と同一の暗号化鍵により暗号化されているものが登録されている。
【００１８】
上記ＩＣカード３は、図３に示すように、カード処理装置１とのデータのやり取りを行うコンタクト部３１、このコンタクト部３１に接続されるインターフェース部３２、このインターフェース部３２に接続される制御用のＣＰＵ３３、このＣＰＵ３３に接続され、制御プログラム等が記録され、データを記録されるメモリ３４とから構成されている。
【００１９】
メモリ３４には、上記メモリカード２に登録されている暗号化されている保護領域にアクセスする機能を復号化する際に用いる暗号化鍵が記録されている。
【００２０】
ＣＰＵ３３は、カード処理装置１のＣＰＵ１１からＩＣカードリーダ・ライタ１４を介して供給される暗号化鍵の読取りコマンドに応答して、メモリ３４から読み取った暗号化鍵をＩＣカードリーダ・ライタ１４を介してカード処理装置１のＣＰＵ１１に返送するようになっている。
【００２１】
次に、上記のような構成において、コンテンツの出力処理を、図１に示す要部におけるデータのやり取りを示す図と、図４乃至図６に示すフローチャートを用いて説明する。
【００２２】
すなわち、カード処理装置１の電源がオンの際に、ＣＰＵ１１は操作待ち受け状態となっている（ＳＴ１）。この状態において、操作部１０によりメモリカード２からのデータの読取りを選択する（ＳＴ２）。これにより、ＣＰＵ１１はメモリカード２の挿入待ち状態となる（ＳＴ３）。
【００２３】
ついで、ＣＰＵ１１は検知器１６からの検知信号によりメモリカード２の挿入を判断した場合（ＳＴ４）、暗号化されている保護領域にアクセスする機能の読取りコマンドをメモリカードリーダ・ライタ１３を介してメモリカード２の制御部２３ａに送信する（ＳＴ５）。
【００２４】
これにより、メモリカード２の制御部２３ａはメモリ２４の一般領域に登録されている保護領域をアクセスする機能つまり保護領域に記録されているデータを読取る特殊な専用のソフトウェアの暗号化データを読取り（ＳＴ６）、メモリカードリーダ・ライタ１３を介してカード処理装置１のＣＰＵ１１へ返送する（ＳＴ７）。
カード処理装置１のＣＰＵ１１はメモリカード２から供給される暗号化データをメモリ１２に記録する（ＳＴ８）。これにより、カード処理装置１は、保護領域をアクセスする機能つまり保護領域に記録されているデータを読取る特殊な専用のソフトウェアの暗号化データを取得する。
これにより、ＣＰＵ１１はＩＣカード３の挿入待ち状態となる（ＳＴ９）。
【００２５】
ついで、ＣＰＵ１１は検知器１７からの検知信号によりＩＣカード３の挿入を判断した場合（ＳＴ１０）、暗号化鍵の読取りコマンドをＩＣカードリーダ・ライタ１４を介してＩＣカード３のＣＰＵ３３に送信する（ＳＴ１１）。
【００２６】
これにより、ＩＣカード３のＣＰＵ３３はメモリ３４に登録されている暗号化鍵を読取り（ＳＴ１２）、メモリカードリーダ・ライタ１３を介してカード処理装置１のＣＰＵ１１へ返送する（ＳＴ１３）。
カード処理装置１のＣＰＵ１１はＩＣカード３から供給される暗号化鍵をメモリ１２に記録する（ＳＴ１４）。これにより、カード処理装置１は、暗号化鍵を取得する。
【００２７】
ついで、ＣＰＵ１１はこの暗号化鍵を用いて、上記メモリ１２に記録されている保護領域をアクセスする機能つまり保護領域に記録されているデータを読取る特殊な専用のソフトウェアの暗号化データを復号化し、上記メモリ１２に記録する（展開する）（ＳＴ１５）。
【００２８】
また、ＣＰＵ１１はメモリ１２に展開された、メモリカード２の保護領域にアクセスする機能を使用し、メモリカード２の制御部２３ａとカード処理装置１のＣＰＵ１１との間で認証処理を行う（ＳＴ１６）。
【００２９】
ついで、ＣＰＵ１１はこの認証処理が正常に行われた際、コンテンツの読取りコマンドをメモリカードリーダ・ライタ１３を介してメモリカード２の制御部２３ａに送信する（ＳＴ１７）。
【００３０】
これにより、メモリカード２の制御部２３ａはメモリ２４の保護領域に記録されているコンテンツを読取り（ＳＴ１８）、メモリカードリーダ・ライタ１３を介してカード処理装置１のＣＰＵ１１へ返送する（ＳＴ１９）。
カード処理装置１のＣＰＵ１１はメモリカード２から供給されるコンテンツをメモリ１２に記録する（ＳＴ２０）。これにより、カード処理装置１は、コンテンツを取得する。
【００３１】
これにより、ＣＰＵ１１は取得したコンテンツとしての映像、音楽、情報等を出力部１５により表示したり、再生したりする（ＳＴ２１）。
【００３２】
そして、ＣＰＵ１１は取得したコンテンツを使用し終えた後、上記メモリ１２に展開されている、保護領域をアクセスする機能つまり保護領域に記録されているデータを読取る特殊な専用のソフトウェアをメモリ１２上から削除する（ＳＴ２２）。
【００３３】
この後、ＣＰＵ１１はメモリカード２、ＩＣカード３の取出しを出力部１５により案内する（ＳＴ２３、２４）。
この案内に基づいて、メモリカード２、ＩＣカード３がそれぞれ挿入口から取出される（ＳＴ２５、２６）。
【００３４】
上記ステップ１６による認証処理が行われた後に、メモリカード２、あるいはＩＣカード３が強制的に取出された際、カード処理装置１のＣＰＵ１１は上記メモリ１２に展開されている、保護領域をアクセスする機能つまり保護領域に記録されているデータを読取る特殊な専用のソフトウェアをメモリ１２上から削除する。
【００３５】
たとえば、上記ステップ１６による認証処理が行われた後に、メモリカード２が強制的に取出された際（ＳＴ２７）、ＣＰＵ１１は検知器１６からの検知信号によりメモリカード２の取出し（強制排出）を判断し、上記メモリ１２に展開されている、保護領域をアクセスする機能つまり保護領域に記録されているデータを読取る特殊な専用のソフトウェアをメモリ１２上から削除する（ＳＴ２８）。
【００３６】
この後、ＣＰＵ１１はＩＣカード３の取出しを出力部１５により案内する（ＳＴ２９）。この案内に基づいて、ＩＣカード３が挿入口から取出される（ＳＴ３０）。
また、ＩＣカード３が強制的に取出された際も上記同様に動作する。
【００３７】
また、ＣＰＵ１１は、ステップ３において、ＩＣカード３が挿入されても、ＩＣカード３にアクセスせずにメモリカード２が挿入されるのを待つ。
［第２の実施形態］
上記第１の実施形態では、メモリ２４は、一般領域（登録領域）に保護領域をアクセスする機能（保護領域に記録されているデータを読取る特殊な専用のソフトウェア）が上記ＩＣカード３に登録されている暗号化鍵と同一の暗号化鍵により暗号化されているものが登録されている場合について説明したが、これに限らず、第２の実施形態として一般領域（登録領域）にデバイス鍵が上記ＩＣカード３に登録されている暗号化鍵と同一の暗号化鍵により暗号化されているものが登録されている場合も同様に実施できる。
【００３８】
この場合、カード処理装置１のメモリ１２には、図７に示すように、保護領域をアクセスする機能としての保護領域に記録されているデータを読取る特殊な専用のソフトウェアから上記デバイス鍵を復号化したデータを除いたものが登録されている。
【００３９】
次に、上記のような構成において、コンテンツの出力処理を、図７に示す要部におけるデータのやり取りを示す図と、図８乃至図１０に示すフローチャートを用いて説明する。
【００４０】
すなわち、カード処理装置１の電源がオンの際に、ＣＰＵ１１は操作待ち受け状態となっている（ＳＴ１）。この状態において、操作部１０によりメモリカード２からのデータの読取りを選択する（ＳＴ２）。これにより、ＣＰＵ１１はメモリカード２の挿入待ち状態となる（ＳＴ３）。
【００４１】
ついで、ＣＰＵ１１は検知器１６からの検知信号によりメモリカード２の挿入を判断した場合（ＳＴ４）、暗号化されている保護領域にアクセスする機能の読取りコマンドをメモリカードリーダ・ライタ１３を介してメモリカード２の制御部２３ａに送信する（ＳＴ５）。
【００４２】
これにより、メモリカード２の制御部２３ａはメモリ２４の一般領域に登録されているデバイス鍵の暗号化データを読取り（ＳＴ３１）、メモリカードリーダ・ライタ１３を介してカード処理装置１のＣＰＵ１１へ返送する（ＳＴ３２）。
カード処理装置１のＣＰＵ１１はメモリカード２から供給される暗号化データをメモリ１２に記録する（ＳＴ３３）。これにより、カード処理装置１は、デバイス鍵の暗号化データを取得する。
これにより、ＣＰＵ１１はＩＣカード３の挿入待ち状態となる（ＳＴ９）。
【００４３】
ついで、ＣＰＵ１１は検知器１７からの検知信号によりＩＣカード３の挿入を判断した場合（ＳＴ１０）、暗号化鍵の読取りコマンドをＩＣカードリーダ・ライタ１４を介してＩＣカード３のＣＰＵ３３に送信する（ＳＴ１１）。
【００４４】
これにより、ＩＣカード３のＣＰＵ３３はメモリ３４に登録されている暗号化鍵を読取り（ＳＴ１２）、メモリカードリーダ・ライタ１３を介してカード処理装置１のＣＰＵ１１へ返送する（ＳＴ１３）
カード処理装置１のＣＰＵ１１はＩＣカード３から供給される暗号化鍵をメモリ１２に記録する（ＳＴ１４）。これにより、カード処理装置１は、暗号化鍵を取得する。
【００４５】
ついで、ＣＰＵ１１はこの暗号化鍵を用いて、上記メモリ１２に記録されているデバイス鍵の暗号化データを復号化し、上記メモリ１２に記録する（ＳＴ３４）。これにより、ＣＰＵ１１はデバイス鍵の復号化データとデバイス鍵の復号化データが除去されている保護領域に記録されているデータを読取る特殊な専用のソフトウェアとを組合わせることで、そのソフトウェアを正常な状態としてのメディア固有鍵をメモリ１２に生成する（ＳＴ３５）。この後、ＣＰＵ１１は上記メモリ１２に記録されているデバイス鍵の復号化データを削除する（ＳＴ３６）。
【００４６】
また、ＣＰＵ１１はメモリ１２に展開された、メモリカード２の保護領域にアクセスする機能を使用し、メモリカード２の制御部２３ａとカード処理装置１のＣＰＵ１１との間で認証処理を行う（ＳＴ１６）。
【００４７】
ついで、ＣＰＵ１１はこの認証処理が正常に行われた際、コンテンツの読取りコマンドをメモリカードリーダ・ライタ１３を介してメモリカード２の制御部２３ａに送信する（ＳＴ１７）。
【００４８】
これにより、メモリカード２の制御部２３ａはメモリ２４の保護領域に記録されているコンテンツを読取り（ＳＴ１８）、メモリカードリーダ・ライタ１３を介してカード処理装置１のＣＰＵ１１へ返送する（ＳＴ１９）。
カード処理装置１のＣＰＵ１１はメモリカード２から供給されるコンテンツをメモリ１２に記録する（ＳＴ２０）。これにより、カード処理装置１は、コンテンツを取得する。
【００４９】
これにより、ＣＰＵ１１は取得したコンテンツとしての映像、音楽、情報等を出力部１５により表示したり、再生したりする（ＳＴ２１）。
【００５０】
そして、ＣＰＵ１１は取得したコンテンツを使用し終えた後、上記メモリ１２に展開されている、（メディア固有鍵としての）保護領域をアクセスする機能つまり保護領域に記録されているデータを読取る特殊な専用のソフトウェアをメモリ１２上から削除する（ＳＴ２２）。
【００５１】
この後、ＣＰＵ１１はメモリカード２、ＩＣカード３の取出しを出力部１５により案内する（ＳＴ２３、２４）。
この案内に基づいて、メモリカード２、ＩＣカード３がそれぞれ挿入口から取出される（ＳＴ２５、２６）。
【００５２】
上記ステップ１６による認証処理が行われた後に、メモリカード２、あるいはＩＣカード３が強制的に取出された際、カード処理装置１のＣＰＵ１１は上記メモリ１２に展開されている、保護領域をアクセスする機能つまり保護領域に記録されているデータを読取る特殊な専用のソフトウェアとしてのメディア固有鍵をメモリ１２上から削除する。
【００５３】
たとえば、上記ステップ１６による認証処理が行われた後に、メモリカード２が強制的に取出された際（ＳＴ２７）、ＣＰＵ１１は検知器１６からの検知信号によりメモリカード２の取出し（強制排出）を判断し、上記メモリ１２に展開されている、保護領域をアクセスする機能つまり保護領域に記録されているデータを読取る特殊な専用のソフトウェアをメモリ１２上から削除する（ＳＴ２８）。
【００５４】
この後、ＣＰＵ１１はＩＣカード３の取出しを出力部１５により案内する（ＳＴ２９）。この案内に基づいて、ＩＣカード３が挿入口から取出される（ＳＴ３０）。
また、ＩＣカード３が強制的に取出された際も上記同様に動作する。
［第３の実施形態］
上記第２の実施形態では、同じメディアで作成された複数のメモリカードを使用する場合について説明したが、これに限らず、第３の実施形態として異なるメディアで作成された複数のメモリカードを使用する場合であっても良い。
【００５５】
この場合、図１１に示すように、メモリカード２の種類ごと（メモリカードａ、メモリカードｂ）に、記録されるコンテンツとデバイス鍵が異なっている。たとえば、メモリカードａにコンテンツ１が登録されており、メモリカードｂにコンテンツ２が登録されており、コンテンツ１が登録されているメモリカードａには、デバイス鍵１が登録され、コンテンツ２が登録されているメモリカードｂには、デバイス鍵２が登録されている。
【００５６】
これにより、メモリカードリーダ・ライタ１３にメモリカードａが挿入された場合は、メモリカードａから暗号化されたデバイス鍵１を読み取り、カード処理装置１のメモリ１２上に展開することで、メモリカードａ内のコンテンツ１を読み取ることできる。
【００５７】
次に、メモリカードリーダ・ライタ１３にメモリカードｂが接続された場合は、メモリカードｂから暗号化されたデバイス鍵２を読み取り、カード処理装置１のメモリ１２上に展開することで、メモリカードｂ内のコンテンツ２を読み取ることできる。
［第４の実施形態］
上記第２の実施形態では、同じメディアで作成された１つのコンテンツがメモリカードに登録される場合について説明したが、これに限らず、第４の実施形態として異なるメディアで作成された別々のコンテンツが１つのメモリカードに登録される場合であっても良い。
【００５８】
この場合、図１２に示すように、１つのメモリカード２に、コンテンツ１、２が登録されており、各コンテンツ１、２に対するデバイス鍵１、２が登録されている。
【００５９】
これにより、メモリカードリーダ・ライタ１３にメモリカード２が挿入された場合は、メモリカード２から暗号化されたデバイス鍵１あるいはデバイス鍵２を読み取り、カード処理装置１のメモリ１２上に展開することで、メモリカード２内のコンテンツ１あるいはコンテンツ２を読み取ることできる。
【００６０】
上記したように、第1の実施形態によれば、メモリカードの保護領域にアクセスする機能をＩＣカードに記憶した暗号化鍵で暗号化し、暗号化した情報をメモリカード内に搭載することで、メモリカードの保護領域にアクセスする機能を解析され難くしている。
【００６１】
また、ＩＣカードを利用し、複数のメモリカードの保護領域にアクセスする機能を交換して利用し、他の端末等で作成されたコンテンツを利用することができる。
【００６２】
また、メモリカードの保護領域にアクセスする機能を、カード処理装置では必要な場合にメモリ上に展開して使用する。メモリカードの保護領域にアクセスする機能自身はメモリカード内にＩＣカードの暗号化鍵で暗号化した状態で格納しておくことで解析されにくくする。
【００６３】
さらに、第２乃至第４の実施形態によれば、メモリカードの保護領域にアクセスする機能を、デバイス鍵とし、認証処理等の機能をあらかじめ汎用情報端末装置上に搭載することで、メモリカードの保護領域にアクセスする機能を解析され難くし、及び他のメディア等で作成されたコンテンツを利用することができる
また、デバイス鍵を、個々のメモリカードに置くことで、他のメディア等で作成されたコンテンツ（映像、音楽、情報等）を利用することができる。
【００６４】
【発明の効果】
以上詳述したように、この発明によれば、メモリカードの保護領域にアクセスする機能を解析され難くすることができるカード処理装置を提供できる。
【図面の簡単な説明】
【図１】この発明の実施形態を説明するためのカード処理システムの概略構成を示す図。
【図２】メモリカードの構成を説明するための図。
【図３】ＩＣカードの構成を説明するための図。
【図４】コンテンツの出力処理を説明するためのフローチャート。
【図５】コンテンツの出力処理を説明するためのフローチャート。
【図６】コンテンツの出力処理を説明するためのフローチャート。
【図７】カード処理システムの概略構成を示す図。
【図８】コンテンツの出力処理を説明するためのフローチャート。
【図９】コンテンツの出力処理を説明するためのフローチャート。
【図１０】コンテンツの出力処理を説明するためのフローチャート。
【図１１】カード処理システムの概略構成を示す図。
【図１２】カード処理システムの概略構成を示す図。
【符号の説明】
１…カード処理装置
２…メモリカード
３…ＩＣカード
１０…操作部
１１…ＣＰＵ
１２…メモリ
１３…メモリカードリーダ・ライタ
１４…ＩＣカードリーダ・ライタ
１５…出力部
１６…検知器
１７…検知器
２１…コンタクト部
２２…インターフェース部
２３…メモリ制御用ＬＳＩ
２３ａ…制御部
２３ｂ…内部メモリ
２４…メモリ
３１…コンタクト部
３２…インターフェース部
３３…ＣＰＵ
３４…メモリ
【図１】
0003806006.tif 000002
【図２】
0003806006.tif 000003
【図３】
0003806006.tif 000004
【図４】
0003806006.tif 000005
【図５】
0003806006.tif 000006
【図６】
0003806006.tif 000007
【図７】
0003806006.tif 000008
【図８】
0003806006.tif 000009
【図９】
0003806006.tif 000010
【図１０】
0003806006.tif 000011
【図１１】
0003806006.tif 000012
【図１２】
0003806006.tif 000013